【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
第１のモジュラーユニットと、前記第１のモジュラーユニットに接続可能な第２のモジュラーユニットとを含む、什器アレンジメントであって、
前記第１のモジュラーユニットが、
第１端部及び第２端部を有する第１の上部部材と、
前記第１の上部部材の第１端部に接続された少なくとも１つの第１の脚と、
前記第１の上部部材の第２端部に接続された少なくとも１つの第２の脚と、を含み、
前記第１の上部部材が、天面部と、底部と、前記第１の上部部材の第１端部と第２端部との間を延びる第１側部にて前記天面部から前記底部に延びる第１の側壁と、前記第１の上部部材の第１側部とは反対側にあって前記第１の上部部材の第１端部と第２端部との間を延びる第２側部にて、前記天面部から前記底部まで延びる第２の側壁と、を有し、
前記第１の上部部材は、前記第１の側壁に位置するコンセント及び前記第２の側壁に位置するコンセントの少なくとも１つのコンセントを有し、各コンセントは、前記第１の上部部材に配置された配線に接続され、電力源からコンセントに電気が通るようにし、
前記第１の上部部材は、その底部に、下向きに面する開口を有しており、
前記第２のモジュラーユニットが、
第１端部及び第２端部を有する第２の上部部材を含み、
前記第２の上部部材が、天面部と、底部と、前記第２の上部部材の第１端部と第２端部との間を延びる第１側部にて前記天面部から前記底部に延びる第１の側壁と、前記第２の上部部材の第１側部とは反対側にあって前記第２の上部部材の第１端部と第２端部との間を延びる第２側部にて、前記天面部から前記底部へ延びる第２の側壁と、を有し、
前記第２の上部部材は、前記第１の側壁に位置するコンセント及び前記第２の側壁に位置するコンセントの少なくとも１つのコンセントを有し、各コンセントは、前記第２の上部部材に配置された配線に接続され、電力源からコンセントに電気が通るようにし、
前記第２の上部部材は、その底部に、下向きに面する開口を有しており、
前記第１の上部部材の第２端部は、前記第２の上部部材の第１端部に隣接し、上部部材相互接続コネクタが、前記第１の上部部材及び前記第２の上部部材の下向きに面する開口内で、前記第２の上部部材の第１端部と前記第１の上部部材の第２端部との間に取り付けられ、
前記第１の上部部材の第２端部に取り付けられた前記少なくとも１つの第２の脚は、前記上部部材相互接続コネクタを介して前記第１の上部部材の第２端部に取り付けられ、
前記少なくとも１つの第２の脚は、前記上部部材相互接続コネクタを介して前記第２の上部部材の第１端部に取り付けられ、
前記第２の上部部材の第２端部に、少なくとも１つの第３の脚が取り付けられている、什器アレンジメント。
【請求項２】
前記第１のモジュラーユニットの前記第１の上部部材と前記第２のモジュラーユニットの前記第２の上部部材との間に、作業面が取り付けられている、請求項１の什器アレンジメント。
【請求項３】
前記第１のモジュラーユニットに取り付けられたプライバシー用スクリーンと、前記第２のモジュラーユニットに取り付けられたプライバシー用スクリーンと、を含む、請求項１の什器アレンジメント。
【請求項４】
前記第１の上部部材の下向きに面する開口内で，前記第１の上部部材に接続されたコネクタと、前記コネクタを介して前記第１の上部部材に接続された保管装置と、を含む、請求項１の什器アレンジメント。
【請求項５】
少なくとも１つの装置への接続を容易にするために、前記第１の上部部材の下向きに面する開口内で，前記第１の上部部材に接続されたコネクタを含む、請求項１の什器アレンジメント。
【請求項６】
少なくとも１つの装置への接続を容易にするために、前記第１の上部部材の下向きに面する開口内で，前記第１の上部部材に接続されたコネクタを含む、請求項５の什器アレンジメント。
【請求項７】
第１のモジュラーユニットと、前記第１のモジュラーユニットに接続可能な第２のモジュラーユニットとを含む、什器アレンジメントであって、
前記第１のモジュラーユニットが、
第１端部及び第２端部を有する第１の上部部材と、
前記第１の上部部材の第１端部に接続された少なくとも１つの第１の脚と、
前記第１の上部部材の第２端部に接続された少なくとも１つの第２の脚と、を含み、
前記第１の上部部材が、天面部と、底部と、前記第１の上部部材の第１端部と第２端部との間を延びる第１側部にて前記天面部から前記底部に延びる第１の側壁と、前記第１の上部部材の第１側部とは反対側にあって前記第１の上部部材の第１端部と第２端部との間を延びる第２側部にて、前記天面部から前記底部まで延びる第２の側壁と、を有し、
前記第１の上部部材は、前記第１の側壁に位置するコンセント及び前記第２の側壁に位置するコンセントの少なくとも１つのコンセントを有し、各コンセントは、前記第１の上部部材に配置された配線に接続され、電力源からコンセントに電気が通るようにし、
前記第１の上部部材の天面部は、前記第１の上部部材の第１端部の隣接部から前記第１の上部部材の第２端部の隣接部に延びる細長いスロットを有し、
前記第１の上部部材は、その底部に、下向きに面する開口を有しており、
前記第２のモジュラーユニットが、
第１端部及び第２端部を有する第２の上部部材を含み、
前記第２の上部部材が、天面部と、底部と、前記第２の上部部材の第１端部と第２端部との間を延びる第１側部にて前記天面部から前記底部に延びる第１の側壁と、前記第２の上部部材の第１側部とは反対側にあって前記第２の上部部材の第１端部と第２端部との間を延びる第２側部にて、前記天面部から前記底部へ延びる第２の側壁と、を有し、
前記第２の上部部材は、前記第１の側壁に位置するコンセント及び前記第２の側壁に位置するコンセントの少なくとも１つのコンセントを有し、各コンセントは、前記第２の上部部材に配置された配線に接続され、電力源からコンセントに電気が通るようにし、
前記第２の上部部材の天面部は、前記第２の上部部材の第１端部の隣接部から前記第２の上部部材の第２端部の隣接部に延びる細長いスロットを有し、
前記第２の上部部材は、その底部に、下向きに面する開口を有しており、
前記第１の上部部材の第２端部は、前記第２の上部部材の第１端部に隣接し、上部部材相互接続コネクタが、前記第１の上部部材及び前記第２の上部部材の下向きに面する開口内で、前記第２の上部部材の第１端部と前記第１の上部部材の第２端部との間に取り付けられ、
前記第１の上部部材の第２端部に取り付けられた前記少なくとも１つの第２の脚は、前記上部部材相互接続コネクタを介して前記第１の上部部材の第２端部に取り付けられ、
前記少なくとも１つの第２の脚は、前記上部部材相互接続コネクタを介して前記第２の上部部材の第１端部に取り付けられ、
前記第２の上部部材の第２端部に、少なくとも１つの第３の脚が取り付けられている、什器アレンジメント。
【請求項８】
前記第１のモジュラーユニットの前記第１の上部部材と前記第２のモジュラーユニットの前記第２の上部部材との間に、作業面が取り付けられている、請求項７の什器アレンジメント。
【請求項９】
前記第１のモジュラーユニットに取り付けられたプライバシー用スクリーンと、前記第２のモジュラーユニットに取り付けられたプライバシー用スクリーンと、を含む、請求項７の什器アレンジメント。
【請求項１０】
前記第１のモジュラーユニットに接続されたディスプレイ装置を含む、請求項７の什器アレンジメント。